(57)【要約】      （修正有）【課題】バッグに収容した際には、収容能力を備えた中仕切となり、かつ独立したウエストバッグとしての機能性も備えたウエストバッグを提供する。【解決手段】ウエストバッグ１は、複数のシート状芯材１１が内設された帯部１２と、帯部の少なくとも１面に１つ以上設けられた小物収納部１３と、帯部の片面に設けられた複数のベルトループと、帯部の縁に設けられ、バッグと連結されるリング状片１５を備える。バッグに収容した際には、収容能力を備えた中仕切として機能させ、バッグに収容しない際には、ベルトループにより腰部へ装着可能とした。【選択図】図１
0003201897.tif 000002
【実用新案登録請求の範囲】
【請求項１】
複数のシート状芯材が内設された帯部と、帯部の少なくとも１面に１つ以上設けられた小物収納部と、帯部の片面に設けられた複数のベルトループと、帯部の縁に設けられ、バッグと連結されるリング状片が備えられたことを特徴とするバッグの収納仕切兼腰掛バッグ。
【請求項２】
前記リング状片とバッグを連結する連結部材が備えられたことを特徴とする請求項１に記載のバッグの収納仕切兼腰掛バッグ。
【考案の詳細な説明】
【技術分野】
【０００１】
本考案は、バッグに収容され中仕切として機能し、場合によっては取り外して独立したウエストバッグとして機能することができるバッグに関する。
【背景技術】
【０００２】
一般的にバッグは、出かける際の衣類に合わせてコーディネートされている。また、バッグの内側面に小物等を収容可能なポケットが設けられているものの、デザインを重視した例えば女性用の高級バッグでは小物収容部不足している。そのため、出かける際の衣類にコーディネートしてバッグを選択した場合は、通常使用しているバッグから小物を入れ替える作業が発生していた。また、一度バッグに収容された小物の中から、必要な収納物を取り出すことは、困難であった。
【０００３】
そこで、従来、バッグの中仕切りに設けられたポケット、またはケース状やポーチ状の仕分け収納具に小物が収容され、任意のバッグに使用する小物収容機能を備えた中仕切りや（例えば、特許文献１や特許文献２参照。）、小物を収容できるのみでなく、簡易に収納態様を異ならせることができる小物集用具や（例えば、特許文献３参照。）が提案されている。
【先行技術文献】
【特許文献】
【０００４】
【特許文献１】特開２００６−１６７４３０号公報
【特許文献２】実用新案登録第３１３５２２５号公報
【特許文献３】特開２００６−１５０２７号公報
【考案の概要】
【考案が解決しようとする課題】
【０００５】
しかしながら、上記文献に記載された小物収容具は、バッグの中に小物を収容する区画を増やすだけに留まり装飾性に乏しいため、独立した収納体として持ち運ぶことは美観を損ねるという問題があった。
【０００６】
本考案は、上記の問題点に鑑みなされたもので、バッグに収容した際には、収容能力を備えた中仕切として、かつ独立したウエストバッグとしての機能性を備えたウエストバッグを提供することを目的とする。
【課題を解決するための手段】
【０００７】
このため本考案のバッグの収納仕切兼ウエストバッグは、複数のシート状芯材が内設された帯部と、帯部の少なくとも１面に１つ以上設けられた小物収納部と、帯部の片面に設けられた複数のベルトループと、帯部の縁に設けられ、バッグと連結されるリング状片が備えられたことを第１の特徴とする。
【０００８】
また、さらに前記リング状片とバッグを連結する連結部材が備えられたことを第２の特徴とする。
【考案の効果】
【０００９】
本考案のバッグの収納仕切兼ウエストバッグは、以下の優れた効果を有する。
（１）帯部が複数のシート状芯材を内包しているため、帯部を任意の形状に折り曲げて自立させた状態でバッグに収容することができ、バッグの形崩れを防ぐことができる。
（２）小物収容部に共通した目的を持つ一群の収納物を収納しておけば、本考案のウエストバッグをバッグ間で入れ替えるだけで、収納物をいちいちバッグへ出し入れする過程が不要となり、持ち運ぶ収納物の入れ替えを簡便に行うことができる。
（３）帯部にベルトループを備えているため、ベルトを通して腰部に装着し、独立した収納体として使用することができる。
【図面の簡単な説明】
【００１０】
【図１】本考案に係るバッグの収納仕切兼ウエストバッグを示す正面図である。
【図２】図１の背面図である。
【図３】本考案に係るバッグの収納仕切兼ウエストバッグの使用例を示す斜視図である。
【考案を実施するための形態】
【００１１】
本考案に係るバッグの収納仕切兼ウエストバッグ（以下、ウエストバッグ１）について、図面を参照しながら説明する。本考案のウエストバッグ１は、図１、及び図２に示すように、複数のシート状芯材１１が内設された帯部１２と、帯部１２の少なくとも１面に１つ以上設けられた小物収納部１３（便宜上、小物収納部の一部に符号１３を付す。符号を付していない箇所もある）と、帯部１２の片面に設けられた複数のベルトループ１４（便宜上、ベルトループの一部に符号１４を付す。符号を付していない箇所もある）と、帯部１２の縁に設けられたリング状片１５を備えている。
【００１２】
本考案のウエストバッグ１は、図１に二点鎖線で示すように、複数個の矩形状のシート状基材１１を帯部１２で被覆して構成されている。シート状基材１１は、例えば革の廃材を、例えば約１００ｍｍ×約１００ｍｍ（図１中タテ×ヨコ）、厚みが約１ｍｍに成形したものが使用される。シート状基材１１は、これに限定されるものではなく、例えば、ポリプロピレンなどの樹脂材料を、円形状に形成しても良く、素材、形状（例えば、円形状や多角形状など）、サイズ（素材の持つ強度との関係により決定づけられる）は、ウエストバッグ１を自立させる程度の強度を有するよう構成されていれば良い。また、シート状基材１１には、布等からなる装飾用または補強用等の目的でカバーが被覆されていても良い。
【００１３】
帯部１２は、通常バッグ等に使用される、例えば天然皮革又は人工皮革などの皮革製、また例えば織布又はデニム等の布製の生地を、略矩形状に裁断し、縫製又は接着して構成されている。またそのサイズは、約３００ｍｍ×約１００ｍｍ（図１中タテ×ヨコ）に形成されている。図１に示すように、帯部１２の正面側には、収納目的に応じて適宜の形状やサイズで複数の小物収納部１３が設けられており、普段持ち運ぶ小物が収納される。小物収納部１３は、所定の収納空間を有するよう、略矩形状の生地を弛ませ、縫目１３ａの箇所を縫い付けることで構成されているが、小物を収納可能な構成とされていれば良い。したがって、小物収容部１３とは、図２に示すような、ファスナー付ポケット１３ｂの態様も含み、通常バッグの外面に設けられているポケット構造も含む。
【００１４】
また、図２に示すように、ウエストバッグ１の背面側の上部の位置には、リング状のベルトループ１４が複数個設けられている。このベルトループ１４に使用者の腰部に装着されるベルトを挿通させ、使用者の腰部にウエストバッグ１が装着され、独立した収納体として使用することができる。尚、図２中に縫い目を破線で示しているが、ベルトループ１４は、ベルトが挿通可能な構成とされていれば良く、図示されたものに限定されるものではない。
【００１５】
帯部１２の上縁には、図１、及び図２に示すように、リング状片１５が設けられており、図３に示すように、リング状片１５にバッグ２の持手２１と連結部材１６を介して連結される。リング状片１５は、生地をリング状に形成し帯部１２に縫い付けるほか、通称Ｄ環と呼ばれるリング状の金具を使用する、もしくはこれらを併用して構成される。連結部材１６は、ナスカンやカラビナなどリング状の一部が開放及び閉鎖され、別のリング状体と接続可能なものが使用され、リング状片１５は、このような連結部材１６が接続できるようリング状に構成されていれば良い。図３に示すように、バッグ２とウエストバッグ１が連結部材１６を介して連結されることで、バッグ２内に収容されたウエストバッグ１を安定させることができる。リング状片１５と持手２１は、必ずしも連結する必要はなく、連結しない場合には、バッグ２からウエストバッグ１を引き出すために、リング状片１５を片手で掴むことができる程度の強度とサイズに構成されることが望ましい。
【符号の説明】
【００１６】
１        ウエストバッグ
１１      シート状基材
１２      帯部
１３      小物収納部
１３ａ    縫目
１３ｂ    ファスナー付ポケット
１４      ベルトループ
１５      リング状片
１６      連結部材
２        バッグ
２１      持手
【図１】
0003201897.tif 000003
【図２】
0003201897.tif 000004
【図３】
0003201897.tif 000005